(57)【要約】【課題】安価に製造可能な光走査装置及び画像形成装置を提供することである。【解決手段】感光体４Ｙ，４Ｋにビームを走査する光走査装置６。光源３０ＹＫは、ビームＢＹＫを放射する。分離部３８ＹＫは、ビームＢＹＫをビームＢＹ及びビームＢＫに分離する。偏向器４３は、複数の偏向面を有し、異なる偏向面を用いてビームＢＫ，ＢＹを偏向することによって、期間Ｔ１においてビームＢＫを感光体ドラム４Ｋに走査し、期間Ｔ２においてビームＢＹを感光体ドラム４Ｙに走査する。センサ５２は、ビームＢＹ，ＢＫを検知する。レンズ４８Ｋ，５０Ｋは、期間Ｔ１外においてビームＢＫをセンサ５２に入射させる。レンズ４８Ｙ，５０Ｙは、期間Ｔ２外においてビームＢＹをセンサ５２に入射させる。【選択図】図２
2013160835.tif 000002
【特許請求の範囲】
【請求項１】
第１の感光体及び第２の感光体にビームを走査する光走査装置であって、
第１のビームを放射する光源と、
前記第１のビームを第２のビーム及び第３のビームに分離する分離手段と、
複数の偏向面を有する偏向手段であって、異なる偏向面を用いて前記第２のビーム及び前記第３のビームを偏向することによって、第１の期間において該第２のビームを前記第１の感光体に走査し、該第１の期間と異なる第２の期間において該第３のビームを前記第２の感光体に走査する偏向手段と、
ビームを検知する検知手段と、
前記第１の期間外において前記第２のビームを前記検知手段に入射させる第１の光学系と、
前記第２の期間外において前記第３のビームを前記検知手段に入射させる第２の光学系と、
を備えていること、
を特徴とする光走査装置。
【請求項２】
前記第１の光学系は、前記第２の期間において前記第２のビームを前記検知手段に入射させ、
前記第２の光学系は、前記第１の期間において前記第３のビームを前記検知手段に入射させること、
を特徴とする請求項１に記載の光走査装置。
【請求項３】
請求項２に記載の光走査装置と、
前記第１の期間において前記検知手段が検知した前記第３のビームの強度に基づいて、前記第２のビームの強度を制御し、前記第２の期間において該検知手段が検知した該第２のビームの強度に基づいて、該第３のビームの強度を制御する制御手段と、
を備えていること、
を特徴とする画像形成装置。
【請求項４】
前記第１の光学系は、前記第１の期間の終了から前記第２の期間の開始までの第３の期間において、前記第２のビームを前記検知手段に入射させ、
前記第２の光学系は、前記第２の期間の終了から前記第１の期間の開始までの第４の期間において、前記第３のビームを前記検知手段に入射させ、
前記制御手段は、前記第３の期間において前記検知手段が検知した前記第２のビームに基づいて、前記第２の感光体への書き込み開始時期を決定するための同期信号を生成し、前記第４の期間において該検知手段が検知した該第３のビームに基づいて、前記第１の感光体への書き込み開始時期を決定するための同期信号を生成すること、
を特徴とする請求項３に記載の画像形成装置。
【発明の詳細な説明】
【技術分野】
【０００１】
本発明は、光走査装置及び画像形成装置に関し、より特定的には、感光体に光を走査して静電潜像を形成する光走査装置及び画像形成装置に関する。
【背景技術】
【０００２】
従来の一般的な光走査装置に関する発明としては、例えば、特許文献１に記載の光走査装置が知られている。該光走査装置では、光源の出射光を光分割手段で２本に分けている。２本に分けられた光は、互いに角度をずらして重ねた２枚のポリゴンミラーを同軸で回転させる偏向手段のポリゴンミラーのそれぞれに入射する。これにより、２本の光は、互いに異なるタイミングで２つの感光体上を走査される。以上のような構成を有する光走査装置では、２本に分けられた光が互いに異なるタイミングで感光体上を走査されるので、１つの光源により２つの感光体に静電潜像を形成することが可能である。
【０００３】
以上のように構成された光走査装置では、一般的に、光源の出射光を検知するためのＳＯＳセンサが各感光体の上流側に設けられている。制御部は、各ＳＯＳセンサが検知した出射光の強度に基づいて、各感光体を走査する光の強度を制御する。
【０００４】
しかしながら、特許文献１に記載の光走査装置では、複数のＳＯＳセンサが設けられているので、光走査装置の製造コストが高くなってしまう。
【先行技術文献】
【特許文献】
【０００５】
【特許文献１】特開２００６−２８４８２２号公報
【発明の概要】
【発明が解決しようとする課題】
【０００６】
そこで、本発明の目的は、安価に製造可能な光走査装置及び画像形成装置を提供することである。
【課題を解決するための手段】
【０００７】
本発明の一形態に係る光走査装置は、第１の感光体及び第２の感光体にビームを走査する光走査装置であって、第１のビームを放射する光源と、前記第１のビームを第２のビーム及び第３のビームに分離する分離手段と、複数の偏向面を有する偏向手段であって、異なる偏向面を用いて前記第２のビーム及び前記第３のビームを偏向することによって、第１の期間において該第２のビームを前記第１の感光体に走査し、該第１の期間と異なる第２の期間において該第３のビームを前記第２の感光体に走査する偏向手段と、ビームを検知する検知手段と、前記第１の期間外において前記第２のビームを前記検知手段に入射させる第１の光学系と、前記第２の期間外において前記第３のビームを前記検知手段に入射させる第２の光学系と、を備えていること、を特徴とする。
【０００８】
本発明の一実施形態に係る画像形成装置は、前記光走査装置と、前記第１の期間において前記検知手段が検知した前記第３のビームの強度に基づいて、前記第２のビームの強度を制御し、前記第２の期間において該検知手段が検知した該第２のビームの強度に基づいて、該第３のビームの強度を制御する制御手段と、を備えていること、を特徴とする。
【発明の効果】
【０００９】
本発明によれば、光走査装置及び画像形成装置を安価に製造できる。
【図面の簡単な説明】
【００１０】
【図１】画像形成装置の全体構成を示した図である。
【図２】光走査装置を上側から平面視した図である。
【図３】画像形成装置のブロック図である。
【図４】偏向器によりビームが走査される様子を示した図である。
【図５】画像形成装置が感光体ドラムに静電潜像を形成する際のタイミングチャートである。
【発明を実施するための形態】
【００１１】
以下に、本発明の実施形態に係る光走査装置及び画像形成装置について説明する。
【００１２】
（画像形成装置の構成）
以下に、本発明の実施形態に係る画像形成装置について図面を参照しながら説明する。図１は、画像形成装置１の全体構成を示した図である。
【００１３】
画像形成装置１は、電子写真方式によるカラープリンタであって、いわゆるタンデム式で４色（Ｙ：イエロー、Ｍ：マゼンタ、Ｃ：シアン、Ｋ：ブラック）の画像を合成するように構成されている。該画像形成装置１は、スキャナにより読み取った画像データに基づいて、用紙に画像を形成する機能を有し、図１に示すように、印刷部２、給紙部１５、タイミングローラ対１９、定着装置２０、排紙ローラ対２１及び排紙トレイ２３を備えている。
【００１４】
給紙部１５は、用紙を１枚ずつ供給する役割を果たし、用紙トレイ１６及び給紙ローラ１７を含む。用紙トレイ１６には、印刷前の状態の用紙が複数枚重ねて載置される。給紙ローラ１７は、用紙トレイ１６に載置された用紙を１枚ずつ取り出す。
【００１５】
タイミングローラ対１９は、給紙ローラ１７により搬送されてきた用紙にトナー画像が印刷部２において２次転写されるように、タイミングを調整しながら用紙を搬送する。
【００１６】
印刷部２は、給紙部１５から供給されてくる用紙にトナー画像を形成し、光走査装置６、転写部８（８Ｙ，８Ｍ，８Ｃ，８Ｋ）、中間転写ベルト１１、駆動ローラ１２、従動ローラ１３、２次転写ローラ１４及び作像ユニット２２（２２Ｙ，２２Ｍ，２２Ｃ，２２Ｋ）を含んでいる。また、作像ユニット２２（２２Ｙ，２２Ｍ，２２Ｃ，２２Ｋ）は、感光体ドラム４（４Ｙ，４Ｍ，４Ｃ，４Ｋ）、帯電器５（５Ｙ，５Ｍ，５Ｃ，５Ｋ）、現像装置７（７Ｙ，７Ｍ，７Ｃ，７Ｋ）及びクリーナー９（９Ｙ，９Ｍ，９Ｃ，９Ｋ）を含んでいる。
【００１７】
感光体ドラム４（４Ｙ，４Ｍ，４Ｃ，４Ｋ）は、円筒形状をなしており、図１において時計回りに回転させられる。帯電器５（５Ｙ，５Ｍ，５Ｃ，５Ｋ）は、感光体ドラム４（４Ｙ，４Ｍ，４Ｃ，４Ｋ）の周面を帯電させる。光走査装置６は、感光体ドラム４（４Ｙ，４Ｍ，４Ｃ，４Ｋ）の周面に対してビームＢ（ＢＹ，ＢＭ，ＢＣ，ＢＫ）を走査する。なお、光走査装置６の詳細については後述する。これにより、感光体ドラム４（４Ｙ，４Ｍ，４Ｃ，４Ｋ）の周面には静電潜像が形成される。
【００１８】
現像装置７（７Ｙ，７Ｍ，７Ｃ，７Ｋ）は、感光体ドラム４（４Ｙ，４Ｍ，４Ｃ，４Ｋ）に静電潜像に基づくトナー画像を現像する。
【００１９】
転写ベルト１１は、駆動ローラ１２と従動ローラ１３との間に張り渡されている。転写部８は、中間転写ベルト１１の内周面に対向するように配置されており、感光体ドラム４に形成されたトナー画像を中間転写ベルト１１に１次転写する役割を果たす。クリーナー９は、１次転写後に感光体ドラム４の周面に残存しているトナーを回収する。駆動ローラ１２は、中間転写ベルト駆動部（図１には記載せず）により回転させられることにより、中間転写ベルト１１を矢印αの方向に駆動させる。これにより、中間転写ベルト１１は、トナー画像を２次転写ローラ１４まで搬送する。
【００２０】
２次転写ローラ１４は、中間転写ベルト１１と対向し、ドラム形状をなしている。そして、２次転写ローラ１４は、転写電圧が印加されることにより、中間転写ベルト１１との間を通過する用紙に対して、中間転写ベルト１１が担持しているトナー画像を２次転写する。
【００２１】
トナー画像が２次転写された用紙は、定着装置２０に搬送される。定着装置２０は、用紙に対して加熱処理及び加圧処理を施すことにより、トナー画像を用紙に定着させる。排紙ローラ対２１は、定着装置２０から搬送されてきた用紙を排紙トレイ２３に排出する。排紙トレイ２３には、印刷済みの用紙が載置される。
【００２２】
（光走査装置の構成）
次に、光走査装置６について図面を参照しながら説明する。図２は、光走査装置６を上側から平面視した図である。なお、図２では、ビームＢＹ，ＢＫを走査する構成のみが記載されている。ただし、ビームＢＭ，ＢＣを走査する構成については、ビームＢＹ，ＢＫを走査する構成と同じである。よって、以下では、ビームＢＹ，ＢＫを走査する構成について説明を行う。また、図２では、左右方向を主走査方向とする。感光体ドラム４Ｙでは、右側が上流側であり、感光体ドラム４Ｋでは、左側が上流側である。
【００２３】
光走査装置６は、感光体ドラム４Ｙ，４ＫにビームＢＹ，ＢＫを走査し、図２に示すように、光源３０ＹＫ、コリメータレンズ３２ＹＫ、スリット３４ＹＫ、シリンドリカルレンズ３６ＹＫ、分割部３８ＹＫ、ミラー４０（４０Ｙ，４０Ｋ）、偏向器４３、走査レンズ４４（４４Ｙ，４４Ｋ），４６（４６Ｙ，４６Ｋ）、ミラー４８（４８Ｙ，４８Ｋ），５０（５０Ｙ，５０Ｋ）及びセンサ５２を備えている。
【００２４】
光源３０ＹＫは、例えば、レーザダイオードにより構成され、ビームＢＹＫを放射する。コリメータレンズ３２ＹＫは、光源３０ＹＫが放射したビームＢＹＫを水平面内において略平行な光に整形する。スリット３４ＹＫは、コリメータレンズ３２ＹＫを通過したビームＢＹＫの光束幅を規制する。シリンドリカルレンズ３６ＹＫは、ビームＢＹＫを上下方向に集光する。
【００２５】
分離部３８ＹＫは、例えば、ハーフミラーにより構成され、ビームＢＹＫをビームＢＹ，ＢＫに分離する。分離部３８ＹＫは、図２に示すように、ビームＢＹＫの一部をビームＢＹとして反射すると共に、ビームＢＹＫの一部を透過してビームＢＫとする。
【００２６】
ミラー４０Ｙ，４０Ｋはそれぞれ、ビームＢＹ，ＢＫを偏向器４３側に反射する。
【００２７】
偏向器４３は、ポリゴンミラー４２及び駆動部４５により構成されている。ポリゴンミラー４２は、複数（６つ）の偏向面を有している。駆動部４５は、ポリゴンミラー４２を図２において反時計回りに回転させるモーターである。偏向器４３は、異なる偏向面を用いてビームＢＫ，ＢＹを偏向することによって、期間Ｔ１においてビームＢＫを感光体ドラム４Ｋに走査し、期間Ｔ１とは異なる期間Ｔ２においてビームＢＹを感光体ドラム４Ｙに走査する。すなわち、ビームＢＹ，ＢＫはそれぞれ、互いに異なる偏向面に入射する。そして、偏向器４３は、期間Ｔ１において、ビームＢＫを図２の下側に反射すると共に、ビームＢＫを図２の左側から右側へと走査させる。また、偏向器４３は、期間Ｔ２において、ビームＢＹを図２の上側に反射すると共に、ビームＢＹを図２の右側から左側へと走査させる。
【００２８】
走査レンズ４４Ｋ，４６Ｋは、偏向器４３により偏向されたビームＢＫが通過するレンズであり、該ビームＢＫを感光体ドラム４Ｋに結像させる。これにより、ビームＢＫは、図２に示すように、主走査方向（図２の左右方向）に等速で走査される。なお、走査レンズ４４Ｋ，４６Ｋと感光体ドラム４Ｋとの間には、複数のミラーが設けられているが、図２では省略されている。
【００２９】
走査レンズ４４Ｙ，４６Ｙは、偏向器４３により偏向されたビームＢＹが通過するレンズであり、該ビームＢＹを感光体ドラム４Ｙに結像させる。これにより、ビームＢＹは、図２に示すように、主走査方向（図２の右左方向）に等速で走査される。なお、走査レンズ４４Ｙ，４６Ｙと感光体ドラム４Ｙとの間には、複数のミラーが設けられているが、図２では省略されている。
【００３０】
感光体ドラム４Ｙ，４Ｋは、所定速度で回転駆動される。そして、ビームＢＹ，ＢＫによる主走査と感光体ドラム４Ｙ，４Ｋの回転による副走査にて２次元の静電潜像が形成される。
【００３１】
ミラー４８Ｋ，５０Ｋは、期間Ｔ１外においてビームＢＫをセンサ５２に入射させる光学系である。本実施形態では、ミラー４８Ｋ，５０Ｋは、期間Ｔ２及び期間Ｔ１の終了から期間Ｔ２の開始までの期間Ｔ３においてビームＢＫをセンサ５２に入射させる。そこで、ミラー４８Ｋは、感光体ドラム４Ｋの主走査方向の下流端よりも主走査方向の下流側に向かうビームＢＫを図２の上側に反射する。ミラー５０Ｋは、ミラー４８Ｋが反射したビームＢＫを図２の右側に反射する。これにより、期間Ｔ２，Ｔ３においてビームＢＫがセンサ５２に入射する。
【００３２】
ミラー４８Ｙ，５０Ｙは、期間Ｔ２外においてビームＢＹをセンサ５２に入射させる光学系である。本実施形態では、ミラー４８Ｙ，５０Ｙは、期間Ｔ１及び期間Ｔ２の終了から期間Ｔ１の開始までの期間Ｔ４においてビームＢＹをセンサ５２に入射させる。そこで、ミラー４８Ｙは、感光体ドラム４Ｙの主走査方向の上流端よりも主走査方向の上流側に向かうビームＢＹを図２の下側に反射する。ミラー５０Ｙは、ミラー４８Ｙが反射したビームＢＹを図２の右側に反射する。これにより、期間Ｔ１，Ｔ４においてビームＢＹがセンサ５２に入射する。
【００３３】
センサ５２は、期間Ｔ３，Ｔ４においてビームＢＹ，ＢＫを検知することにより、ＳＯＳ同期信号ＳＯＳを生成する。更に、センサ５２は、期間Ｔ１，Ｔ２においてビームＢＫ，ＢＹを検知することにより、光量制御信号Ｓｉｇを生成する。ＳＯＳ同期信号ＳＯＳは、感光体ドラム４Ｙ，４Ｋへの静電潜像の書き込みの開始時期を決定するための信号である。光量制御信号Ｓｉｇとは、感光体ドラム４Ｙ，４Ｋを走査中のビームＢＹ，ＢＫの強度を制御するための信号である。
【００３４】
ＣＰＵ６０は、ＳＯＳ同期信号ＳＯＳに基づいて、ＳＯＳ同期信号ＳＯＳＹ，ＳＯＳＫを生成する。ＳＯＳ同期信号ＳＯＳＹは、感光体ドラム４Ｙへの静電潜像の書き込みを決定するための信号である。ＳＯＳ同期信号ＳＯＳＫは、感光体ドラム４Ｋへの静電潜像の書き込みを決定するための信号である。また、ＣＰＵ６０は、光量制御信号Ｓｉｇに基づいて、ビームＢＹ，ＢＫの強度を制御する。
【００３５】
（画像形成装置のブロック構成）
次に、画像形成装置１のブロック構成について図面を参照しながら説明する。図３は、画像形成装置１のブロック図である。
【００３６】
画像形成装置１は、図３に示すように、ＣＰＵ６０に加えて、記憶部６２、水晶発信器６４、画像処理ブロック６６、画素クロック生成回路６８（６８Ｙ，６８Ｋ）及び変調回路７０（７０Ｙ，７０Ｋ）を備えている。また、光走査装置６は、図３に示すように、図２において説明した構成に加えて、光源駆動回路７２ＹＫを備えている。
【００３７】
画像処理ブロック６６は、画像データを取得して、画像データに対して画像処理を施すとともに、各色に対応した画像データＫ，Ｙを出力する。水晶発信器６４は、クロック信号を生成する。ＣＰＵ６０は、ＳＯＳ同期信号ＳＯＳに基づいて、ＳＯＳ同期信号ＳＯＳＹ，ＳＯＳＫを生成する。画素クロック生成回路６８Ｙ，６８Ｋはそれぞれ、クロック信号に基づいて、ＳＯＳ同期信号ＳＯＳＹ，ＳＯＳＫに同期したデータクロックＤＣＫＹ，ＤＣＫＫを出力する。
【００３８】
変調回路７０Ｙ，７０Ｋはそれぞれ、画像データＹ，ＫをデータクロックＤＣＫＹ，ＤＣＫＫに同期させて出力する。画像データＹ，Ｋは、変調回路７０Ｙ，７０Ｋの後段において合成されて画像データＶＩＤＥＯとなる。
【００３９】
光源駆動回路７２ＹＫは、ＣＰＵ６０からの発光信号及び画像データＶＩＤＥＯに基づいて光源３０ＹＫにビームＢＹＫを放射させる。
【００４０】
ＣＰＵ６０は、駆動部４５に対して駆動信号を出力し、ポリゴンミラー４２を所定の速度で回転させる。
【００４１】
（画像形成装置の動作）
次に、画像形成装置１の動作について図面を参照しながら説明する。図４は、偏向器４３によりビームＢＹ，ＢＫが走査される様子を示した図である。図４において、ＳＯＩＹ，ＳＯＩＫは、Ｓｔａｒｔ  Ｏｆ  Ｉｍａｇｅであり、感光体ドラム４Ｙ，４Ｋの主走査方向の上流端にビームＢＹ，ＢＫが入射する位置を意味している。図４において、ＥＯＩＹ，ＥＯＩＫは、Ｅｎｄ  Ｏｆ  Ｉｍａｇｅであり、感光体ドラム４Ｙ，４Ｋの主走査方向の下流端にビームＢＹ，ＢＫが入射する位置を意味している。図５は、画像形成装置１が感光体ドラム４Ｙ，４Ｋに静電潜像を形成する際のタイミングチャートである。図５には、ＳＯＳ同期信号ＳＯＳ、画像データＶＩＤＥＯ，ビームＢＹＫ，ＢＫ，ＢＹの強度及び光量制御信号Ｓｉｇが示されている。
【００４２】
画像形成装置１では、ビームＢＫ、ＢＹはそれぞれ、互いに異なる期間Ｔ１，Ｔ２において感光体ドラム４Ｋ，４Ｙを走査する。また、ビームＢＫが感光体ドラム４Ｋを走査している期間Ｔ１では、ビームＢＹが感光体ドラム４Ｙを走査せずにセンサ５２に入射している。一方、ビームＢＹが感光体ドラム４Ｙを走査している期間Ｔ２では、ビームＢＫが感光体ドラム４Ｋを走査せずにセンサ５２に入射している。
【００４３】
図４（ａ）に示すように、ＣＰＵ６０は、時刻ｔ１において、発光信号を光源駆動回路７２ＹＫに出力して、光源３０ＹＫにビームＢＹＫを所定期間にわたって放射させる。時刻ｔ１は、ビームＢＹがセンサ５２に入射するタイミングである。これにより、センサ５２は、図５に示すように、時刻ｔ１から所定時間だけローレベルであるＳＯＳ同期信号ＳＯＳを出力する。応じて、ＣＰＵ６０は、ＳＯＳ同期信号に基づいて、時刻ｔ１から所定時間だけローレベルであるＳＯＳ同期信号ＳＯＳＫを生成する。すなわち、ＣＰＵ６０は、期間Ｔ３においてセンサ５２が検知したビームＢＹに基づいて、ＳＯＳ同期信号ＳＯＳＫを生成する。このとき、ビームＢＫは、ＳＯＩＫよりも主走査方向の上流側に位置している。
【００４４】
次に、時刻ｔ２において、ＣＰＵ６０は、ＳＯＳ同期信号ＳＯＳがローレベルに切り替わってから所定時間が経過したら、図４（ｂ）に示すように、ビームＢＫがＳＯＩＫに到達したと判断する。そこで、ＣＰＵ６０は、発光信号を光源駆動回路７２ＹＫに出力して、光源３０ＹＫにビームＢＹＫを放射させる。このとき、光源駆動回路７２ＹＫには、画像データＫを含んだ画像データＶＩＤＥＯが入力している。よって、光源３０ＹＫは、画像データＫに基づいてビームＢＹＫを放射する。ビームＢＹＫは、分離部３８ＹＫによりビームＢＹ，ＢＫに分離される。そして、ビームＢＫは感光体ドラム４Ｋを走査する。これにより、期間Ｔ１において、感光体ドラム４Ｋの静電潜像の形成が行われる。一方、ビームＢＹはセンサ５２に入射する。これにより、センサ５２は、ビームＢＹに基づいて光量制御信号ＳｉｇをＣＰＵ６０に出力する。ＣＰＵ６０は、期間Ｔ１において、光量制御信号Ｓｉｇに基づいてビームＢＫの強度を制御する。すなわち、ＣＰＵ６０は、期間Ｔ１において、センサ５２が検知したビームＢＹの強度に基づいて、ビームＢＫの強度を制御している。
【００４５】
次に、時刻ｔ３において、図４（ｃ）に示すように、ビームＢＫがＥＯＩＫに到達すると、感光体ドラム４Ｋの静電潜像の形成が終了する。ＣＰＵ６０は、発光信号の光源駆動回路７２ＹＫへの出力を停止する。これにより、光源３０ＹＫは、ビームＢＹＫの放射を停止する。
【００４６】
図４（ｄ）に示すように、ＣＰＵ６０は、時刻ｔ４において、発光信号を光源駆動回路７２ＹＫに出力して、光源３０ＹＫにビームＢＹＫを所定期間にわたって放射させる。時刻ｔ４は、ビームＢＫがセンサ５２に入射するタイミングである。これにより、センサ５２は、図５に示すように、時刻ｔ４から所定時間だけローレベルであるＳＯＳ同期信号ＳＯＳを出力する。応じて、ＣＰＵ６０は、ＳＯＳ同期信号に基づいて、時刻ｔ４から所定時間だけローレベルであるＳＯＳ同期信号ＳＯＳＹを生成する。すなわち、ＣＰＵ６０は、期間Ｔ３においてセンサ５２が検知したビームＢＫに基づいて、ＳＯＳ同期信号ＳＯＳＹを生成する。このとき、ビームＢＹは、ＳＯＩＹよりも主走査方向の上流側に位置している。
【００４７】
次に、時刻ｔ５において、ＣＰＵ６０は、ＳＯＳ同期信号ＳＯＳがローレベルに切り替わってから所定時間が経過したら、図４（ｅ）に示すように、ビームＢＹがＳＯＩＹに到達したと判断する。そこで、ＣＰＵ６０は、発光信号を光源駆動回路７２ＹＫに出力して、光源３０ＹＫにビームＢＹＫを放射させる。このとき、光源駆動回路７２ＹＫには、画像データＹを含んだ画像データＶＩＤＥＯが入力している。よって、光源３０ＹＫは、画像データＹに基づいてビームＢＹＫを放射する。ビームＢＹＫは、分離部３８ＹＫによりビームＢＹ，ＢＫに分離される。そして、ビームＢＹは感光体ドラム４Ｙを走査する。これにより、期間Ｔ２において、感光体ドラム４Ｙの静電潜像の形成が行われる。一方、ビームＢＫはセンサ５２に入射する。これにより、センサ５２は、ビームＢＫに基づいて光量制御信号ＳｉｇをＣＰＵ６０に出力する。ＣＰＵ６０は、期間Ｔ２において、光量制御信号Ｓｉｇに基づいてビームＢＹの強度を制御する。すなわち、ＣＰＵ６０は、期間Ｔ２において、センサ５２が検知したビームＢＫの強度に基づいて、ビームＢＹの強度を制御している。
【００４８】
次に、時刻ｔ６において、図４（ｆ）に示すように、ビームＢＹがＥＯＩＹに到達すると、感光体ドラム４Ｙの静電潜像の形成が終了する。ＣＰＵ６０は、発光信号の光源駆動回路７２ＹＫへの出力を停止する。これにより、光源３０ＹＫは、ビームＢＹＫの放射を停止する。
【００４９】
以上の動作により、感光体ドラム４Ｙ，４Ｋに１ライン分の静電潜像が形成される。そして、前記動作が繰り返されることにより、感光体ドラム４Ｙ，４Ｋに静電潜像が形成される。
【００５０】
（効果）
本実施形態に係る光走査装置６及び画像形成装置１によれば、光走査装置６及び画像形成装置１を安価に製造できる。より詳細には、光走査装置６は、期間Ｔ１外においてビームＢＫをセンサ５２に入射させるミラー４８Ｋ，５０Ｋ、及び、期間Ｔ２外においてビームＢＹをセンサ５２に入射させるミラー４８Ｙ，５０Ｙを備えている。これにより、光走査装置６は、１つのセンサ５２により、ＳＯＳ同期信号ＳＯＳを生成することができる。よって、光走査装置６は、２つのセンサが必要な光走査装置に比べて安価に製造可能である。
【００５１】
また、画像形成装置１によれば、ミラー４８Ｋ，５０Ｋは、期間Ｔ２においてビームＢＫをセンサ５２に入射させ、ミラー４８Ｙ，５０Ｙは、期間Ｔ１においてビームＢＹを前記検知手段に入射させている。ビームＢＹ，ＢＫは、ビームＢＹＫが分離されて生成されているので、互いに比例関係にある強度を有している。よって、期間Ｔ１において感光体ドラム４Ｋを走査しているビームＢＫの強度は、期間Ｔ１においてセンサ５２が検知したビームＢＹの強度に比例している。また、期間Ｔ２において感光体ドラム４Ｙを走査しているビームＢＹの強度は、期間Ｔ２においてセンサ５２が検知したビームＢＫの強度に比例している。そこで、ＣＰＵ６０は、期間Ｔ１においてセンサ５２が検知したビームＢＹの強度に基づいて、ビームＢＫの強度を制御し、期間Ｔ２においてセンサ５２が検知したビームＢＫの強度に基づいて、ビームＢＹの強度を制御している。これにより、ビームＢＹ，ＢＫが感光体ドラム４Ｙ，４Ｋを走査している間に、ビームＢＹ，ＢＫの強度が制御されるようになる。その結果、感光体ドラム４Ｙ，４Ｋへの静電潜像の書き込み中に、ビームＢＹ，ＢＫの強度が変化することが抑制されるようになる。
【００５２】
（その他の実施形態）
本発明に係る光走査装置及び画像形成装置は、前記実施形態に係る光走査装置６及び画像形成装置１に限らずその要旨の範囲において変更可能である。
【００５３】
また、画像形成装置１では、１つのポリゴンミラー４２によりビームＢＹ，ＢＫが偏向されている。しかしながら、画像形成装置１において、特許文献１に記載の光走査装置のように、２つのポリゴンミラーがずらされた状態で重ねられていてもよい。
【産業上の利用可能性】
【００５４】
以上のように、本発明は、光走査装置及び画像形成装置に有用であり、特に、安価に製造できる点において優れている。
【符号の説明】
【００５５】
４Ｙ，４Ｍ，４Ｃ，４Ｋ  感光体ドラム
６  光走査装置
１  画像形成装置
３０ＹＫ  光源
３８ＹＫ  分離部
４３  偏向器
４８Ｋ，４８Ｙ，５０Ｋ，５０Ｙ  ミラー
５２  センサ
【図１】
2013160835.tif 000003
【図２】
2013160835.tif 000004
【図３】
2013160835.tif 000005
【図４】
2013160835.tif 000006
【図５】
2013160835.tif 000007